(57)【要約】      （修正有）【課題】車いす使用者が顔出し孔に近づけず利用できない平面な顔出し看板を、車いす使用者の胸元から足先に向け張り出す形状を設けることで、車いす使用者の足先部分が収まる空間を設ける構造となり、車いす使用者も顔出し看板を利用可能とする。【解決手段】顔出し看板を三つのパネルを用いる構成とし、顔出し孔４を設け垂直に立てられた上部パネル１と、車いす使用者の胸元７から、車いすアームレスト８、膝９に接触しないよう足先１０に向け、斜めに張り出した傾斜パネル２と、看板基部１１から立ち上げた下部パネル３とで構成され、上部パネル１と傾斜パネル２の下部に空間を設ける構造にすることにより、車いす使用者の足先部分が上部パネル１の下部に設けた空間に納まり顔出し孔４に近づくことができる。且つ、看板利用時に車いすが不用意に動かないよう、傾斜パネル２の利用者側に把手６を取り付け、車いす使用者が無理な姿勢をとることなく利用できる。【選択図】図２
0003213643.tif 000002
【実用新案登録請求の範囲】
【請求項１】
顔出し孔を設け垂直に立てられた上部パネルと、上部パネル底辺から車いす使用者の胸元から足先に向け斜めに張り出す傾斜パネルと、足先に向かった傾斜パネル底辺から、看板基部に向けて立てられる下部パネルによって構成され、上部パネルと傾斜パネルの下部に空間が形成され、車いす使用者の足先部分が収まる空間を設ける構造にすることにより、車いす使用者も着座のまま利用できることを特徴とする顔出し看板。
【請求項２】
看板基部から、垂直に立ち上げた下部パネルと、下部パネル上部から、車いす使用者の頭部上方に向け、車いす使用者の足先、膝、車いすアームレストに接触しないよう車いす使用者側に傾斜した、顔出し孔を設けた傾斜パネルによって構成され、車いす使用者に接触しない構造にすることにより、車いす使用者も着座のまま利用できることを特徴とする顔出し看板。
【請求項３】
看板基部から、車いす使用者の頭部上方に向け、車いす使用者の足先、膝、車いすアームレストに接触しないよう車いす使用者側に傾斜した、顔出し孔を設けた傾斜パネルによって構成され、車いす使用者に接触しない構造にすることにより、車いす使用者も着座のまま利用できることを特徴とする顔出し看板。
【請求項４】
車いす使用者側の顔出し孔の下部に把手を取り付けることを特徴とする、請求項１から請求項３に記載の顔出し看板。
【考案の詳細な説明】
【技術分野】
【０００１】  本考案は、顔出し看板に車いす使用者の足先が接触しないよう空間を設け、車いす使用者も車いす着座のまま利用できる顔出し看板に関するものである。
【背景技術】
【０００２】  観光地や観光・レジャー施設などに設置されている顔出し看板は、垂直に設置された平面な構造のため、看板が車いす使用者の足先に接触し顔出し孔へ近づけないため利用が困難な状況にある。
【先行技術文献】
【特許文献】
【０００３】
【特許文献１】特開２０１０−２２０１８０
【考案の概要】
【考案が解決しようとする課題】
【０００４】  車いすを使用されている方が、遊びや旅行で観光地、観光施設、レジャー施設、公共施設などへ訪れる際、一般の来訪者と同じように記念として顔出し看板を利用する機会があるが、垂直に設置された平面な構造のため、車いす使用者の足先との接触で顔が顔出し孔まで届くことができず、顔出し看板を利用することができない状態である。【０００５】  本考案は、このような従来の顔出し看板の構造が有していた問題を解決しようとするものであり、看板に張り出した傾斜を設け、傾斜の下部に車いす使用者の足先部分を収められる空間を設けることにより、顔を顔出し孔に近づけることが可能とし、前述の欠点を解決しようとするものである。
【課題を解決するための手段】
【０００６】  本考案第１は、一つのパネルで構成された平面な顔出し看板を、三つのパネルを用いる構造とし、垂直に立てられる上部パネルと、車いす使用者の胸元から足先に向けて張り出す傾斜パネルと、足先の看板基部から立ち上がる下部パネルとで構成され、上部パネルの下部と傾斜パネルの下部に空間が形成され、車いす使用者の足先部分が収まる空間を設ける構造にすることにより、車いす使用者の足先部分が上部パネルの下に設けた空間に納まり、車いす使用者も着座のまま顔出し孔に近づくことができる。【０００７】  本考案第２は、看板基部から垂直に立ち上げた下部パネルと、下部パネル上部から、車いす使用者の頭部上方に向け、車いす使用者の足先、膝、車いすアームレストに接触しないよう車いす使用者側に傾斜した、顔出し孔を設けた傾斜パネルによって構成され、車いす使用者に接触しない構造にすることにより、車いす使用者も着座のまま顔出し孔に近づくことができる。【０００８】  本考案第３は、看板基部から、車いす使用者の足先、膝、車いすアームレストに接触しないよう車いす使用者側に傾斜した、顔出し孔を設けた傾斜パネルによって構成され、車いす使用者に接触しない構造にすることにより、車いす使用者も着座のまま顔出し孔に近づくことができる。【０００９】    本考案は、顔出し看板の利用時に車いすが不用意に動かないよう、顔出し孔の下部に把手を取り付け、車いす使用者も顔出し看板を無理な姿勢をとることなく利用できる。
【考案の効果】
【００１０】  上述の様に本考案の顔出し看板は、一般の利用者と共に、車いす使用者が観光地や観光施設、レジャー施設、公共施設など訪問の記念として撮影に利用することができる。【００１１】  車いす使用者が車いす着座での利用と、立ち姿勢の大人、子供と共に利用することができる。【００１２】  看板の表にあたる撮影面に、設置場所に適した写真、イアラスト、文字等をペイントあるいはインクジェット印刷での印刷物を貼り付けることができる。【００１３】  観光地、観光施設、レジャー施設、イベント会場、商業施設、公共施設などに備えられ、記念撮影の機会を提供でき、車いすでの来訪者を迎えることができる。
【図面の簡単な説明】
【００１４】
【図１】本考案の第１実施形態に係わる、三つのパネル構成の顔出し看板の正面図である。
【図２】本考案の第１実施形態に係わる、三つのパネル構成の顔出し看板のＡ−Ａ線断面図である。
【図３】本考案の第２実施形態に係わる、二つのパネル構成の顔出し看板の正面図である。
【図４】本考案の第２実施形態に係わる、二つのパネル構成の顔出し看板のＢ−Ｂ線断面図である。
【図５】本考案の第３実施形態に係わる、傾斜したパネル構成の顔出し看板の正面図である。
【図６】本考案の第３実施形態に係わる、傾斜したパネル構成の顔出し看板のＣ−Ｃ線断面図である。
【図７】本考案の、撮影面の形を適宜の形に変更できる、顔出し看板の一例を示す正面図である。
【考案を実施するための形態】
【００１５】  本考案の実施形態を、各実施形態図を参照して説明する。
なお、この明細書における説明のために用いられた各図においては、各部材を図面上で表示するため、各部材毎に縮尺を異ならせて表示しており、必ずしも実際の寸法に比例して表示されているものではない。
【００１６】  顔出し看板を三つのパネルを使用する構成とし、垂直に立てられる上部パネルの底辺から、車いす使用者の胸元から足先に向け斜めに傾斜パネルを張り出し、張り出された傾斜パネルの底辺に向け、看板基部から下部パネルを立ち上げる。
【実施例】
【００１７】  以下、第１の実施形態を図１、図２に従って一実施例を説明する。顔出し孔４、５を設けた垂直な上部パネル１の底辺から、車いす使用者の胸元７から車いすアームレスト８、膝９に接触しないよう足先１０に向け斜めに傾斜パネル２を張り出す。張り出された傾斜パネル２の底辺へ向け看板基部１１から下部パネル３を立ち上げる。【００１８】  上部パネル１から下部パネル３へ張り出した傾斜パネル２の下部に空間を形成し、車いす使用者の足先を収めることが可能となり、上部パネル１に設けた顔出し孔４を車いす着座のまま利用することができる。また、傾斜パネル２の利用者側に利用者の体勢を調節できるよう把手６を取り付ける。【００１９】  次に第２の実施形態を図３、図４に従って説明する。車いす使用者の足先１０に接触しない看板基部１１から垂直に立ち上げた下部パネル３と、下部パネル３の上部から、車いす使用者の頭部上方に向け、車いす使用者の膝９、車いすアームレスト８に接触しないよう車いす使用者側に傾斜した、顔出し孔４、５を設けた傾斜パネル２によって構成され、車いす使用者に接触しない構造で、顔出し孔４を車いす着座のまま利用することができる。
また、傾斜パネル２に設けられた利用者側の顔出し孔４の下部に、利用者の体勢を調節できるよう把手６を取り付ける。【００２０】  次に第３の実施形態を図５、図６に従って説明する。看板基部１１から、車いす使用者の足先１０、膝９、車いすアームレスト８に接触させないよう車いす使用者側に傾斜した、顔出し孔を設けた傾斜パネル２によって構成され、車いす使用者に接触しない構造で、車いす着座のまま顔出し孔４を利用することができる。また、傾斜パネル２に設けられた利用者側の顔出し孔４の下部に、利用者の体勢を調節できるよう把手６を取り付ける。【００２１】  図７は顔出し看板の撮影面の形状を、適宜の形に変更することができる一例である。【００２２】尚、前述した図７の形状は一例であるから限定されるわけではなく、本考案の趣旨を逸脱しない範囲で看板の正面における撮影面の形状を変更して実施することが可能である。
【符号の説明】
【００２３】  １  上部パネル
１ａ  看板撮影面
２  傾斜パネル
３  下部パネル
４  車いす使用者および子供用の顔出し孔
５  大人用顔出し孔
６  把手
７  車いす利用者の胸元
８  車いすアームレスト
９  車いす使用者の膝
１０  車いす使用者の足先
１１  看板基部
【図１】
0003213643.tif 000003
【図２】
0003213643.tif 000004
【図３】
0003213643.tif 000005
【図４】
0003213643.tif 000006
【図５】
0003213643.tif 000007
【図６】
0003213643.tif 000008
【図７】
0003213643.tif 000009